【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
空気循環システムにおける使用に適し、その上に結露が形成されるのを防止しながら気体を送給可能な、編織布ダクトであって、
編織布を含む材料で形成された、内側気体透過層及び外側気体不透過層と、
内側気体透過層と外側気体不透過層との間に、１つ以上の、気体送給可能な空のスペースを、提供するよう、内側気体透過層と外側気体不透過層との間に配置された、スペーサ手段と、を備えており、
上記空のスペースは、使用中に気体を送給可能であり、
内側気体透過層は、気体が内側気体透過層を通過するのを可能とする多孔質組織を、備えている、
ことを特徴とする編織布ダクト。
【請求項２】
ダクトの長手方向に沿って、内側気体透過層及び外側気体不透過層を、備えている、請求項１記載の編織布ダクト。
【請求項３】
上記気体透過層は、双方向の透過層であり、気体が上記気体透過層を両方向に通過するのを可能としている、請求項１又は２に記載の編織布ダクト。
【請求項４】
スペーサ手段が、編織布を含む材料で形成されている、請求項１〜３のいずれか一つに記載の編織布ダクト。
【請求項５】
スペーサ手段が、ストリップ、タブ、メッシュ、ウェブ、繊維材料、及び／又は、発泡材、の１つ以上から選択される、請求項１〜４のいずれか一つに記載の編織布ダクト。
【請求項６】
スペーサ手段が、上記内側層及び／又は上記外側層の、それぞれ１つ以上の面に対して、密封接触して設けられている、請求項５記載の編織布ダクト。
【請求項７】
上記内側層及び／又は上記外側層が、織布から形成されている、請求項１〜６のいずれか一つに記載の編織布ダクト。
【請求項８】
上記外側層が、アラミド及び／又はポリエステルを含む材料から形成されている、請求項１〜７のいずれか一つに記載の編織布ダクト。
【請求項９】
上記材料が、実質的に非孔質組織を有している、請求項８記載の編織布ダクト。
【請求項１０】
アラミドが、Ｎｏｍｅｘ（登録商標）である、請求項８又は９に記載の編織布ダクト。
【請求項１１】
上記内側層が、アラミド及び／又はポリエステルを含む材料から形成されている、請求項１〜１０のいずれか一つに記載の編織布ダクト。
【請求項１２】
上記材料が、多孔質組織を有している、請求項１１記載の編織布ダクト。
【請求項１３】
アラミドが、Ｎｏｍｅｘ（登録商標）である、請求項１１又は１２に記載の編織布ダクト。
【請求項１４】
難燃剤を、更に含んでいる、請求項１〜１３のいずれか一つに記載の編織布ダクト。
【請求項１５】
上記難燃剤が、上記内側層及び／又は上記外側層を形成する材料、及び／又は、上記内側層と上記外側層との間の１つ以上のスペース、に関連している、請求項１４記載の編織布ダクト。
【請求項１６】
ダクトの分離した層の間のスペースの高さが、処理済み空気とダクトを包囲する空気との間の予定された温度差、気体透過性材料、材料の透過度及び／又は密度、及び、処理済み空気のダクト内での予定流量、の内の少なくとも１つ以上の因子に、依存している、請求項１〜１５のいずれか一つに記載の編織布ダクト。
【請求項１７】
実質的に、円形断面、Ｄ形断面、又は四分円形断面を有している、請求項１〜１６のいずれか一つに記載の編織布ダクト。
【請求項１８】
締結手段、好ましくは１つ以上のジッパーを、更に含んでいる、請求項１〜１７のいずれか一つに記載の編織布ダクト。
【請求項１９】
上記内側層と上記外側層との間に介在する１つ以上の追加的な気体透過層を、更に含んでいる、請求項１〜１８のいずれか一つに記載の編織布ダクト。
【請求項２０】
内側気体透過層及び外側気体不透過層が、柔らかい材料を含む材料で形成されている、請求項１〜１９のいずれか一つに記載の編織布ダクト。
【請求項２１】
スペーサ手段が、柔らかい材料を含む材料で形成されている、請求項２０記載の編織布ダクト。
【請求項２２】
内側気体透過層及び外側気体不透過層が、耐火性材料又は難燃性材料を含む１種以上の材料で形成されている、請求項１〜２１のいずれか一つに記載の編織布ダクト。
【請求項２３】
スペーサ手段が、耐火性材料又は難燃性材料を含む１種以上の材料で形成されている、請求項２２記載の編織布ダクト。
【請求項２４】
上記内側層の透過性を高めるために、内側気体透過層に多数の開口を、備えている、請求項１〜２３のいずれか一つに記載の編織布ダクト。
【請求項２５】
請求項１〜２４のいずれか一つに記載のダクトを、１つ以上含んでいることを特徴とする、空気循環システム。
【請求項２６】
１つ以上の空気処理ユニット及び／又は空気取扱ユニットを含んでおり、１つ以上の上記ダクトが、処理済み空気が空気処理ユニット及び／又は空気取扱ユニットから分配ポイントまで通過可能な通路を、提供する、請求項２５記載の空気循環システム。
【請求項２７】
１つ以上の空気分配装置を更に含んでおり、１つ以上の上記ダクトが、１つ以上の空気分配装置に処理済み空気を供給する、請求項２５又は２６に記載の空気循環システム。
【請求項２８】
使用時に、空気が、空気処理ユニット及び／又は空気取扱ユニットによって処理されて、ダスト、粒子、湿気、及び／又は、核の及び／又は生物学的な及び／又は化学的な物質が、除去される、請求項２６又は２７に記載の空気循環システム。
【請求項２９】
海洋船舶、例えば潜水艦又は船舶に、装備されている、請求項２５〜２８のいずれか一つに記載の空気循環システム。
【請求項３０】
建物に配備されている、請求項２５〜２８のいずれか一つに記載の空気循環システム。
【請求項３１】
乗り物、例えば自動車に、装備されている、請求項２５〜２８のいずれか一つに記載の空気循環システム。
【請求項３２】
編織布ダクトを形成するのに適した、気体送給可能な、編織布積層材であって、
編織布を含む材料で形成された、内側気体透過層及び外側気体不透過層と、
内側気体透過層と外側気体不透過層との間に、１つ以上の、気体送給可能な空のスペースを、提供するよう、内側気体透過層と外側気体不透過層との間に配置された、スペーサ手段と、を備えており、
上記スペースは、使用中に気体を送給可能であり、
内側気体透過層は、気体が内側気体透過層を通過するのを可能とする多孔質組織を、備えており、
上記積層材が、その上に結露が形成されるのを防止しながら気体を送給可能なダクトを、形成可能である、
ことを特徴とする編織布積層材。
【請求項３３】
スペーサ手段が、ストリップ、タブ、メッシュ、ウェブ、繊維材料、及び／又は、発泡材、の１つ以上から選択される、請求項３２記載の編織布積層材。
【請求項３４】
スペーサ手段が、上記内側層及び／又は上記外側層の、それぞれ１つ以上の面に対して、密封接触して設けられている、請求項３２又は３３に記載の編織布積層材。
【請求項３５】
上記内側層及び／又は上記外側層が、織布から形成されている、請求項３２〜３４のいずれか一つに記載の編織布積層材。
【請求項３６】
上記積層材が、編織布積層材の長手方向端縁を封合することにより、ダクトを形成可能である、請求項３２〜３５のいずれか一つに記載の編織布積層材。
【手続補正２】
【補正対象書類名】明細書
【補正対象項目名】発明の名称
【補正方法】変更
【補正の内容】
【発明の名称】編織布ダクト
【手続補正３】
【補正対象書類名】明細書
【補正対象項目名】００４６
【補正方法】変更
【補正の内容】
【００４６】
本発明の編織布ダクト及びダクト系統並びに請求項記載の空気循環システムは、海防分野の空気処理システム及び／又は配給システムに特に有用であると考えられる。加えて、更に、請求項記載の編織布ダクトは、ダクトの技術がそれらの分野に等しく有用であることからして、商用／建物の分野、及び、自動車／車両の製造、のいずれにも使用することができると考えられる。